(57)【特許請求の範囲】
【請求項１】
Ｘ線ＣＴ装置のガントリに設けられている開口部の上部に嵌り込む上に凸な円弧状の防護フレームと、該防護フレームをガントリ開口部にあてがって支持することのできる支持手段とを備え、前記円弧状の防護フレームの内側には、ガントリの開口部を覆う柔軟な防護シートが吊り下げられるとともに、該防護シートには、表側から裏側まで人の腕を挿入することのできる切り目または穴が形成されていることを特徴とするＸ線ＣＴ装置用防護装置。
【請求項２】
前記防護フレームは、厚み方向の奥側が部分的にガントリ開口部に嵌り込み、手前側部分は当該開口部に嵌まり込まない請求項１に記載のＸ線ＣＴ装置用防護装置。
【請求項３】
前記防護フレームは、円弧状の外周がガントリ開口部の内周にほぼ隙間なく嵌合するように形成されている請求項１に記載のＸ線ＣＴ装置用防護装置。
【請求項４】
支持手段が、防護フレームを３軸方向に移動可能に支持する多関節アームである請求項１乃至３のいずれかに記載のＸ線ＣＴ装置用防護装置。
【請求項５】
支持手段である多関節アームの基部が、ガントリの側部に設けられ該ガントリと一体となって移動する支柱に取り付けられている請求項４に記載のＸ線ＣＴ装置用防護装置。
【請求項６】
防護シートが、フレームの下端部よりも下側にまで垂下している請求項１乃至５のいずれかに記載のＸ線ＣＴ装置用防護装置。
【発明の詳細な説明】
【技術分野】
【０００１】
本発明は、医用のＸ線ＣＴ装置におけるガントリの開口部から外部へ散乱する放射線を防護するための防護装置に関するものである。
【背景技術】
【０００２】
Ｘ線ＣＴ装置は、ベッドに寝た被検者の体軸を中心としてＸ線管とＸ線検出器を対向させて配置し、両者を円周方向に回転させながらＸ線管からＸ線を放射し、円周方向に配置した複数個のＸ線検出器で人体を透過したＸ線を検知して、コンピュータによる画像処理により所望の断面画像を得る装置である。この種のＸ線ＣＴ装置は、画像処理速度を高速化することにより、スキャンとほぼ同時にリアルタイムで画像を表示することができる。
【０００３】
従来、患部の断層画像を得るための手段として、超音波診断装置が多く使用されてきたが、骨や気泡がある場所では超音波がこれらの層によって反射されるため、組織を正確に観察することができないという欠点があった。これに対し、上記Ｘ線ＣＴ装置は、画像処理速度を高速化することにより、スキャンとほぼ同時にリアルタイムで画像を表示することができ、しかも気泡や骨のある場所でもそれに隠れた組織を正確に観察できるので、この装置を利用して、穿刺による生検や焼灼、ドレナージ等の術が採用されるようになった。
【０００４】
一方、上記Ｘ線ＣＴ装置として、放射線による被曝の危険性がある。特に穿刺等を行う術者は、頻繁にＸ線の散乱する位置に立ち入らねばならないので、防護に対する配慮がきわめて重要である。このため、従来からＸ線ＣＴ装置用防護手段が種々考案されている。例えば、放射線を遮断する機能を有する含鉛ガラス、含鉛樹脂、含鉛クロス等を用いた防護衝立や防護服、防護手袋等が実用されている。
【０００５】
Ｘ線ＣＴ透視による穿刺等を行う場合は、穿刺針を保持したホルダを人手で掴んで操作しなければならないので、術者はできるだけガントリの開口部に接近して術を施す必要がある。この場合、術者が手袋等で防護していても、ガントリ開口部から放射されるＸ線に被爆するおそれがある。
【０００６】
従来、このガントリ開口部からのＸ線の散乱による被爆を防ぐ手段として、図９に示すような防護板Ｐを３次元的に移動可能にアームＡで支持したものが採用されている。防護板を支持するアームＡは、ガントリが自走式の場合は天井に設けたレールに取り付けられ、ガントリの前後方向に移動可能となっている。テーブルスライド式の場合は、このようなアーム自体の前後方向の移動は不要である。また、この防護板Ｐは、一隅が湾状に切り欠かれていて、この部分がガントリ開口部に沿うように保持した状態で、術者が腕をガントリ開口内に挿入するようになっている。
【０００７】
しかしながら、上記防護板Ｐは、上記切り欠き部分を除いて全体が角型の平板であるから、ガントリの表面と干渉し、開口部の内側に近づけることができず、術者の身体と穿刺位置との距離を短くすることができなかったので、穿刺針の操作が困難となっていた。また、上記切り欠き部分以外の隙間からＸ線が漏出するという問題点もあった。
【０００８】
なお、Ｘ線ＣＴ装置としては、例えば下記特許文献１，２に記載のものがあり、穿刺針を保持するホルダについては、特許文献３に記載のものがある。
【先行技術文献】
【特許文献】
【０００９】
【特許文献１】特開２０００−３２５３３６号公報
【００１０】
【特許文献２】特開平１０−３３５２５号公報
【００１１】
【特許文献３】特開平９−１４０７１６号公報
【発明の概要】
【発明が解決しようとする課題】
【００１２】
本発明は、上記事情に鑑み、Ｘ線ＣＴ透視による穿刺等の術において、術者がよりガントリ内の穿刺部位に近づくことができ、しかも効果的に防護可能な防護装置を提供することを課題としている。
【課題を解決するための手段】
【００１３】
上記課題を解決するため、本発明は次のような構成を採用した。すなわち、請求項１に記載の本発明に係るＸ線ＣＴ装置用防護装置は、Ｘ線ＣＴ装置のガントリに設けられている開口部の上部に嵌り込む上に凸な円弧状の防護フレームと、該防護フレームをガントリ開口部にあてがって支持することのできる支持手段とを備え、前記円弧状の防護フレームの内側には、ガントリの開口部を覆う柔軟な防護シートが吊り下げられるとともに、該防護シートには、表側から裏側まで人の腕を挿入することのできる切り目または穴が形成されていることを特徴としている。
【００１４】
また、請求項２に記載のＸ線ＣＴ装置用防護装置は、請求項１に記載の防護装置であって、前記防護フレームが、厚み方向の奥側が部分的にガントリ開口部に嵌り込み、手前側部分は当該開口部に嵌まり込まないように形成されているものである。さらに、請求項３に記載のＸ線ＣＴ装置用防護装置は、上記請求項１に記載の防護装置であって、前記防護フレームの円弧状の外周がガントリ開口部の内周にほぼ隙間なく（若干の隙間はあってもよい）嵌合するように形成されているものである。
【００１５】
つぎに、請求項４に記載のＸ線ＣＴ装置用防護装置は、上記請求項１乃至３のいずれかに記載のＸ線ＣＴ装置用防護装置であって、支持手段が、防護フレームを３軸方向に移動可能に支持する多関節（複数の関節を有するものをいう）アームであるものである。また、請求項５に記支のＸ線ＣＴ装置用防護装置は、上記請求項４に記載のＸ線ＣＴ装置用防護装置であって、支持手段である多関節アームの基部が、ガントリの側部に設けられガントリと一体となって移動する支柱に取り付けられているものである。
【００１６】
さらに、請求項６に記載のＸ線ＣＴ装置用防護装置は、上記請求項１乃至５のいずれかに記載のＸ線ＣＴ装置用防護装置であって、防護シートが、フレームの下端部よりも下側にまで垂下しているものである。
【発明の効果】
【００１８】
本発明に係るＸ線ＣＴ装置用防護装置は、Ｘ線ＣＴ装置のガントリに設けられている開口部の上部周縁に沿う上に凸な円弧状の防護フレームを備えており、この防護フレームの内側を防護シートで覆ったもので、これが支持手段により、ガントリの開口部にあてがった状態で支持されるので、ガントリの開口部からのＸ線の外部への散乱を効果的に抑制することができる。
【００１９】
また、防護フレームは、請求項２又は３に記載のように、ガントリの開口部に部分的又は全体的に嵌まり込むもので、この嵌まり込んだ状態で柔軟な防護シートによりガントリ開口部を覆うものであり、この防護シートには切れ目が設けられていて、ここから術者が腕をガントリ開口内へ挿入することができるので、被爆の恐れなく身体をガントリ内に近づけることができ、腕をガントリ内により深く挿入することが可能となる。この結果、術者は、穿刺針等の器具の操作をより正確かつ楽に行えるようになる。なお、上記隙間から放射線が多少漏出するとしても、術者は隙間の側方にいるので、被爆の恐れは少ない。
【００２０】
請求項４に記載の防護装置によれば、フレームを３次元的に移動可能な多関節アームで支持するので、最適の位置にフレームを配置することができ、効果的な防護をおこなうことができる。また、請求項５に記載のように、この多関節アームを、ガントリと一体に移動する支柱に取り付けておくこととすれば、天井等に特別なレールを設けなくても防護フレームをガントリと一体に移動可能に支持することができ、構造的に簡単である。
【００２１】
さらに、請求項６に記載のように、防護シートを、防護フレームの下端部よりも下側にまで垂下させておくと、フレームとベッドの隙間から漏出する放射線を効果的に遮断できるので好ましい。
【図面の簡単な説明】
【００２３】
【図１】本発明の実施形態を表す正面図である。
【図２】その要部の断面図であり、（ａ）は外周部に凹状の丸みが付けられている例を、（ｂ）は外周部が傾斜面となっている例を、（c）は防護フレーム全体がガントリに沿う形である例をそれぞれ表す。
【図３】その使用時の状態を表わす斜視図である。
【図４】その要部の断面図である。
【図５】使用法を表す正面図である。
【図６】その断面図である。
【図７】異なる実施形態を表す正面図（ａ）及び断面図（ｂ）である。
【図８】Ｘ線ＣＴ装置の側面図（ａ）及び正面図（ｂ）である。
【図９】従来の防護装置の外観図である。
【発明を実施するための最良の形態】
【００２４】
以下、本発明の好ましい実施形態について具体的に説明する。本発明は、Ｘ線ＣＴ装置の付属品として使用する防護装置である。図８は公知のＸ線ＣＴ装置の概要を表すもので、このＸ線ＣＴ装置は、ガントリ１とベッド２を備えている。ベッド２は高さ調節可能であり、上面に前後動可能な天板３が設けられており、この上に被検者を載せてガントリ１の開口部５に送り込むことができる。
【００２５】
ガントリ１には円筒状の開口部５が設けられ、その内部には、Ｘ線ビームを放射するＸ線管６と、Ｘ線検出素子を備えた検出器７が被検者Ｍの体軸を挟むように対向配置されている。これらＸ線管６と検出器は、図示を省略した回転枠に対向するように取り付けられていて、制御装置により所定の速度で回転しつつＸ線の放射と検出を行い、画像処理装置により、付属のディスプレイに画像を表示するようになっている。Ｘ線管６と検出器７を取り付けた回転枠は、図３の矢印Ｚ方向（図８の場合は図中の矢印方向）にチルト可能である。
【００２６】
図１及び図２は、本発明に係る防護装置を表すもので、この防護装置１０は、防護フレーム１１と防護シート１２と、支持手段１３を備えている。
【００２７】
防護フレーム１１は、放射線を遮断する機能を有する材料、例えば含鉛樹脂（アクリル）等の材質で作られたもので、ガントリ１の開口部５の周縁に沿うような上に凸な円弧状の湾曲形状であり、その幅Ｗと厚みｔは、必要な強度が得られ、しかも作業上支障がない程度に開口の面積が維持できるような大きさとすればよい。例えばＷが１００〜１２０ｍｍ、ｔが１０〜１５ｍｍ程度とすればよい。なお、図１のＤは例えば１２０〜１３０ｍｍ程度とすればよい。
【００２８】
防護フレーム１１の断面形状は、図２に示すように、裏側の径が表側の径よりも小さく、ガントリの開口部に部分的に嵌り込む形状となっている。ガントリ１の開口部周縁は、表側の径が大きく、奥側の径が次第に小さくなるように丸みをおびた断面形状となっているので、防護フレーム１１の断面形状もこれに適合するように、奥側が次第に小さくなるような形状としておけばよい。図２（ａ）の図示例では、ガントリ１の丸みに適合するような丸みＲをおびた凹状となっているが、図２（ｂ）に示すような断面直線状の傾斜面Ｃとしておいてもよく、図２（c）に示すように、薄形の防護フレーム１１全体の断面形状がガントリ１の開口部に沿うような形状としてもよい。
【００２９】
防護シート１２は、放射線を遮断する機能を有する柔軟なシート材、例えば含鉛クロスで形成されている。この防護シート１２は、上端部が前記防護フレーム１１に固着された吊り下げ状態で保持されており、下端部は、ガントリ１の開口部５の下端部よりも若干上側位置まで垂下している。防護シート１２には上下方向の切り目１５が入れられており、図示例では４分割されている。場合によっては、左右中央の１本の切り目だけを設けた２分割としておいてもよい。
【００３０】
防護フレーム１１の支持手段１３としては、該防護フレーム１１をガントリ１の開口部５の上縁に沿うようにあてがって支持できるものであればよい。図示例では、支持手段１３が複数の関節１４を有するアームとなっており、このアーム１３は、基部が構造物に取り付けられ、防護フレーム１１を防護シート１２とともに所望の位置に配置できるようになっている。
【００３１】
図３は、この防護装置１０を自走式のＸ線ＣＴ装置に取り付けた状態を表わすもので、図示例の自走式のＸ線ＣＴ装置は、ガントリ１が支持枠４に矢印Ｚ方向にチルト可能に支持されており、その側部に支柱８が立設されていて、この支柱８と支持枠４が底板９で接続一体化されている。この底板９は、ガントリ１と支柱８を支持してレール９ａ上を矢印Ｙ方向に移動可能である。
【００３２】
防護装置１０の支持手段であるアーム１３の基部は、ガントリ１の側部に立設された支柱８の棚板８ａに取り付けられていて、複数の関節１４により、防護装置１０を所望の位置に支持できるようになっている。実際には、図４に示すように、防護フレーム１１が部分的もしくは全体的にガントリ１の開口部５に嵌まり込んだ状態となるように支持される。この状態では、図３、図４に示すように、防護シート１２の下端部が開口部５の下端部付近まで垂下した状態とする。なお、ヨード造影剤を血管内に注入するためのインジェクター等の器具を支持するための同様なアームを別途設け、上記アーム１３と同様に棚板８aに取り付けておけば便利である。
【００３３】
このＸ線ＣＴ装置を用いて穿刺等の術を施す場合は、図５、図６に示すように、被検者Ｍをベッドの天板３に載せ、該被検者の患部（もしくは検査部位）がＸ線管と検出器との間に位置するようにガントリ内へ送り込む。この状態では、防護シート１２の下部が被検者の上に部分的に被さる状態となる。しかる後、術者が穿刺針２０等の必要な器具を保持したホルダ２２を持った腕を防護装置１０の防護シート１２を切り目１５で掻き分けて開口部５内へ挿入し、Ｘ線を患部に照射しながら必要な術を施す。このとき、付属のディスプレイ（図示を省略）にはリアルタイムで患部の画像が表示されるので、それを見ながら術を施せばよい。
【００３４】
Ｘ線照射中は、ガントリ開口部５から放射線が外部へ散乱するが、上記のように防護装置１０を取り付けておけば、これによって大部分の散乱が防止される。なお、図示例では、防護シート１２の切り目１５を掻き分けて腕を挿入するようになっていて、腕を挿入した状態では該腕の下側と、防護シート１２の下端部よりも下側に若干の隙間１７ができるが、それでもガントリ１の側部付近に立つ術者の被爆は大幅に抑制される。
【００３５】
また、図示例では、防護シートが開口部５の下縁よりも上側位置（ほぼベッド天板３の上面位置）まで垂下しているので、ベッド上の被検者を開口部５に送り込むときにそれほど邪魔にならないが、場合によっては、防護フレーム１１の下端部付近まであるだけでもよく、逆に、開口部５の下縁まで垂下するようにしていてもよい。
【００３６】
次に、図７は上記と異なる実施形態を表すもので、この実施形態では、防護シートに上下方向の切り目は設けられておらず、腕を挿入できる概略円形の穴１８が切り目１５によって形成されている。この穴１８は、穿刺針２０やこれを保持する器具（ホルダ又はカンシ）も挿入する必要があるので、これらの挿入に支障のない大きさとすればよい。なお、この穴１８には、図７（ｂ）に示すような跳上げ式の蓋１８ａを設けておくのが好ましいが、なくてもよい。
【００３７】
以上の説明から明らかなように、本発明に係る防護装置は、Ｘ線ＣＴ装置を用いる穿刺等の術に際し、Ｘ線の外部への散乱を効果的に防止できるものとなった。なお、この防護装置をＸ線ＣＴ装置以外のＸ線装置に対する防護装置として使用できることはいうまでもない。
【符号の説明】
【００３８】
１            ガントリ
２            ベッド
３            天板
４            支持枠
５            開口部
６            Ｘ線管
７            検出器
８            支柱
８a           棚
９            底板
９a           レール
１０          防護装置
１１          防護フレーム
１２          防護シート
１３          支持手段（アーム）
１４          関節
１５          切り目
【図１】
0005552684.tif 000002
【図２】
0005552684.tif 000003
【図３】
0005552684.tif 000004
【図４】
0005552684.tif 000005
【図５】
0005552684.tif 000006
【図６】
0005552684.tif 000007
【図７】
0005552684.tif 000008
【図８】
0005552684.tif 000009
【図９】
0005552684.tif 000010